(57)【要約】      （修正有）【課題】管状体をワンタッチでハウジングにロックできると共に、二重ロック状態を確実に維持でき且つ、目視で確認できる管状体のロック機構を提供する。【解決手段】係合部１１を備えた管状体１２が少なくとも一端に装着されるハウジング１３と、ハウジングと管状体とをロックおよび解除可能なロック部材１４と、ハウジングの外周に回動可能に取付けられ、ロック部材をロック位置と解除位置に移動させることが可能なリング部材１５とからなる管状体のロック機構１０であって、前記リング部材の係止部１６と前記ハウジングの被係止部１７の係止と解放により、前記ロック部材が前記リング部材と共にロック位置に移動し前記管状体を解除またはロックし、ロック後に前記リング部材を前記管状体の軸線方向にスライドさせると、前記リング部材に設けられた嵌合部１８が前記ハウジングに設けられた被嵌合部１９に嵌合し、前記リング部材の回動を防止する。【選択図】図１
2016038019.tif 000002
【特許請求の範囲】
【請求項１】
係合部を備えた管状体が少なくとも一端に装着されるハウジングと、前記ハウジングと前記管状体とをロックおよび解除可能なロック部材と、前記ハウジングの外周に回動可能に取付けられ、前記ロック部材をロック位置と解除位置に移動させることが可能なリング部材とからなる管状体のロック機構であって、
前記リング部材は係止部を備えており、前記係止部が前記ハウジングの被係止部へ係止することにより、前記ロック部材に付勢力を蓄積した状態で前記ロック部材を解除位置に保持し、前記管状体が前記ハウジングに挿入されて前記係止部が係止解除され、前記ロック部材に蓄積された付勢力が解放されることにより、前記ロック部材が前記リング部材と共にロック位置に移動し前記管状体をロックし、ロック後に前記リング部材を前記管状体の軸線方向にスライドさせると、前記リング部材に設けられた嵌合部が前記ハウジングに設けられた被嵌合部に嵌合し、前記リング部材の回動を防止することを特徴とする管状体のロック機構。
【請求項２】
前記係止部は弾性片であり、前記被係止部は孔部であり、前記弾性片が前記孔部に入り込むことで係止されており、前記管状体は係止解除突部を備えており、前記係止解除突部が前記弾性片を前記孔部から押し出すことで係止解除することを特徴とする請求項１に記載の管状体のロック機構。
【請求項３】
前記ロック部材は、前記ハウジングの軸線方向に屈曲した屈曲部を有しており、前記リング部材は前記屈曲部に対応する位置に突部を有しており、前記屈曲部と前記突部により前記リング部材と前記ロック部材が一体的に回動することを特徴とする請求項１または２に記載の管状体のロック機構。
【請求項４】
前記ハウジングは、摺動斜面を有しており、前記リング部材の回動操作により前記ロック部材の先端部が前記摺動斜面を摺動することで、前記ロック部材が拡開され、解除位置となることを特徴とする請求項３に記載の管状体のロック機構。
【請求項５】
前記リング部材は、前記ハウジングに対してスライド移動させた際に、前記ハウジング側に備えられた識別部を目視可能とすることを特徴とする請求項１〜４の何れか１に記載の管状体のロック機構。
【請求項６】
前記リング部材は、前記ハウジングに対してスライド移動させた際に、前記ロック部材の自由端を覆うカバー部を備えたことを特徴とする請求項１〜５の何れか１に記載の管状体のロック機構。
【請求項７】
前記ロック部材は、弾性を有する金属線材から構成されたことを特徴とする請求項１〜６の何れか１に記載の管状体のロック機構。
【発明の詳細な説明】
【技術分野】
【０００１】
この発明は、流体配管の接続等に用いられる管状体のロック機構に関し、自動車用配管等の接続及び解除を迅速かつ確実に行うことのできる管状体のロック機構に関するものである。
【背景技術】
【０００２】
従来、管継手のロック機構には、迅速な挿着を実現するために、ロック機構本体（ソケット）に管状体（プラグ）を挿入すると、ソケットに回動可能に配設されたスリーブが自動回転してワンタッチでソケットとプラグのロックが完了する構成のものが存在する。
例えば、特許文献１に示すような管継手機構は、ソケットにスリーブが回動可能に配設されると共に、ソケットとスリーブの間に介在する操作子（前ボール）、施錠子（後ボール）、ソケット側に設けられた操作子収容孔、施錠子収容孔及びスリーブ側に設けられた操作子収容溝、操作子収容溝斜面、施錠子収容溝等を備えており、ソケットにプラグを挿入することにより操作子が押し出されてスリーブが回転し、操作子収容溝に収容される。続いて、施錠子が押し出されて、施錠子収容溝に収容され、施錠子の押し出しがなくなると施錠子がプラグ溝に収容されて施錠が完了する構造となっている（特許文献１）。
【先行技術文献】
【特許文献】
【０００３】
【特許文献１】特許第４７８７６８２号公報
【発明の概要】
【発明が解決しようとする課題】
【０００４】
しかし、特許文献１の場合では、ロック機構本体（ソケット）に管状体（プラグ）を挿入するだけで、スリーブが自動回転してワンタッチで接続できるものの、接続前と接続後の外観に変化がなく、確実に接続されたか否かの確認が困難であった。
また、プラグを押し込む力を利用してスリーブを回動させるために、径の小さな管継手に適すものの、大口径の管状体のロック機構には適さなかった。
特に、エンジンルーム等の過密化により作業領域が狭く、低挿入力で操作することが要求される大口径用管体には利用が困難であった。
【０００５】
この発明は、上記したような不都合を解消する為になされたもので、管状体が装着されるハウジングと、前記ハウジングと前記管状体とをロックおよび解除可能なロック部材と、前記ハウジングの外周に回動可能に取付けられ、前記ロック部材をロック位置と解除位置に移動させることが可能なリング部材とからなる管状体のロック機構であって、前記リング部材は係止部を備えており、前記係止部が前記ハウジングの被係止部へ係止することにより、前記ロック部材に付勢力を蓄積した状態で前記ロック部材を解除位置に保持し、前記管状体が前記ハウジングに挿入されて前記係止部が係止解除され、前記ロック部材に蓄積された付勢力が解放されることにより、前記ロック部材が前記リング部材と共にロック位置に移動し前記管状体をロックし、ロック後に前記リング部材を前記管状体の軸線方向にスライドさせると、前記リング部材に設けられた嵌合部が前記ハウジングに設けられた被嵌合部に嵌合し、前記リング部材の回動を防止するので、管状体を装着するだけで容易にロックできると共に、ロック状態を視認でき安全性を向上することができる。また、半嵌合状態を回避して、確実なロック状態を確認できる。更に、外径寸法の増加を阻止すると共に、ロック部材の脱落を防止して安全性を確保することのできる管状体のロック機構を提供するものである。
【課題を解決するための手段】
【０００６】
この発明は、以下のような内容である。
（１）上記目的を達成するため、本発明は係合部を備えた管状体が少なくとも一端に装着されるハウジングと、前記ハウジングと前記管状体とをロックおよび解除可能なロック部材と、前記ハウジングの外周に回動可能に取付けられ、前記ロック部材をロック位置と解除位置に移動させることが可能なリング部材とからなる管状体のロック機構であって、前記リング部材は係止部を備えており、前記係止部が前記ハウジングの被係止部へ係止することにより、前記ロック部材に付勢力を蓄積した状態で前記ロック部材を解除位置に保持し、前記管状体が前記ハウジングに挿入されて前記係止部が係止解除され、前記ロック部材に蓄積された付勢力が解放されることにより、前記ロック部材が前記リング部材と共にロック位置に移動し前記管状体をロックし、ロック後に前記リング部材を前記管状体の軸線方向にスライドさせると、前記リング部材に設けられた嵌合部が前記ハウジングに設けられた被嵌合部に嵌合し、前記リング部材の回動を防止することを特徴とする。
（２）また、前記係止部は弾性片であり、前記被係止部は孔部であり、前記弾性片が前記孔部に入り込むことで係止されており、前記管状体は係止解除突部を備えており、前記係止解除突部が前記弾性片を前記孔部から押し出すことで係止解除することを特徴とする。
（３）前記ロック部材は、前記ハウジングの軸線方向に屈曲した屈曲部を有しており、前記リング部材は前記屈曲部に対応する位置に突部を有しており、前記屈曲部と前記突部により前記リング部材と前記ロック部材が一体的に回動することを特徴とする。
（４）前記ハウジングは、摺動斜面を有しており、前記リング部材の回動操作により前記ロック部材の先端部が前記摺動斜面を摺動することで、前記ロック部材が拡開され、解除位置となることを特徴とする。
（５）前記リング部材は、前記ハウジングに対してスライド移動させた際に、前記ハウジング側に備えられた識別部を目視可能とすることを特徴とする。
（６）前記リング部材は、前記ハウジングに対してスライド移動させた際に、前記ロック部材の自由端を覆うカバー部を備えたことを特徴とする。
（７）前記ロック部材は、弾性を有する金属線材から構成されたことを特徴とする。
【発明の効果】
【０００７】
この発明によれば、係合部を備えた管状体が少なくとも一端に装着されるハウジングと、前記ハウジングと前記管状体とをロックおよび解除可能なロック部材と、前記ハウジングの外周に回動可能に取付けられ、前記ロック部材をロック位置と解除位置に移動させることが可能なリング部材とからなる管状体のロック機構であって、前記リング部材は係止部を備えており、前記係止部が前記ハウジングの被係止部へ係止することにより、前記ロック部材に付勢力を蓄積した状態で前記ロック部材を解除位置に保持し、前記管状体が前記ハウジングに挿入されて前記係止部が係止解除され、前記ロック部材に蓄積された付勢力が解放されることにより、前記ロック部材が前記リング部材と共にロック位置に移動し前記管状体をロックし、ロック後に前記リング部材を前記管状体の軸線方向にスライドさせると、前記リング部材に設けられた嵌合部が前記ハウジングに設けられた被嵌合部に嵌合し、前記リング部材の回動を防止するので、管状体を挿入するだけで付勢力の戻りによりワンタッチでハウジングにロックできると共に、ロック状態を確実に維持できる。つまり、リング部材をスライドさせると回転不能となり、二重ロック状態として、確実にロック状態を維持できる。また、リング部材をスライド操作させることで、ロック状態の完了を確認できる。更に、ロック部材が外周方向に突出することがなく、狭い場所でも操作が可能である。また、工具による解除が不要であると共に、工具によって周囲を傷付ける虞がない。
また、前記係止部は弾性片であり、前記被係止部は孔部であり、前記弾性片が前記孔部に入り込むことで係止されており、前記管状体は係止解除突部を備えており、前記係止解除突部が前記弾性片を前記孔部から押し出すことで、管状体を完全に奥まで挿入しないとリング部材が回動しないため、不完全な状態でロック操作が行われることがない。
また、前記ロック部材は、前記ハウジングの軸線方向に屈曲した屈曲部を有しており、前記リング部材は前記屈曲部に対応する位置に突部を有しており、前記屈曲部と前記突部により前記リング部材と前記ロック部材が一体的に回動するので、ロック部材の屈曲部に直接指を掛ける必要がなく、解除操作を容易に行うことができる。また、工具による解除が不要である。
また、前記ハウジングは、摺動斜面を有しており、前記リング部材の回動操作により前記ロック部材の先端部が前記摺動斜面を摺動することで、前記ロック部材が拡開され解除位置となるので、簡易な構成でリング部材を回動するのみで、ロック部材を解除して安定した解除動作が可能となる。
また、前記リング部材は、前記ハウジングに対してスライド移動させた際に、前記ハウジング側に備えられた識別部を目視可能とするので、ロック作業の完了を外部から視認でき、安全性を向上することができる。
前記リング部材は、前記ハウジングに対してスライド移動させた際に、前記ロック部材の自由端を覆うカバー部を備えたので、ロック部材が外部に露出せず、不用意に解除される危険性を低減し、ロック状態を確実に維持することができる。
前記ロック部材は、弾性を有する金属線材から構成されたので、高いロック強度が得られ、管状体をロック機構に確実に固定することができる。また、耐久性に優れた管状体のロック機構を実現することができる。更に、ロック部材の強度を確保しつつ、安価に提供することができる。
【図面の簡単な説明】
【０００８】
【図１】本発明の一実施形態を示す管状体のロック機構を示す分解斜視図である。
【図２】同ロック機構と管状体とを示す斜視図である。
【図３】同ロック機構を構成するハウジングを示す側面図である。
【図４】同ハウジングを示す底面図である。
【図５】同ロック機構を構成するリング部材の斜視図である。
【図６】同リング部材の別の角度から見た斜視図である。
【図７】同リング部材の他の角度から見た斜視図である。
【図８】ロック機構を構成するロック部材の斜視図である。
【図９】同ロック部材を示す平面図である。
【図１０】同ロック部材を示す正面図である。
【図１１】待機状態のロック機構と管状体を示す断面図である。
【図１２】待機状態のロック機構を示すロック部材位置の断面図である。
【図１３】同ロック機構と管状体との締結状態を示す斜視図である。
【図１４】同締結状態を示す平面図である。
【図１５】同締結状態を示す側面図である。
【図１６】図１６は、図１５のＡ−Ａ線断面図である。
【図１７】リング部材をスライドさせた締結確認状態を示す平面図である。
【図１８】図１８は図１７のＢ−Ｂ線断面図である。
【発明を実施するための形態】
【０００９】
本発明の管状体のロック機構は、係合部を備えた管状体が少なくとも一端に装着されるハウジングと、前記ハウジングと前記管状体とをロックおよび解除可能なロック部材と、前記ハウジングの外周に回動可能に取付けられ、前記ロック部材をロック位置と解除位置に移動させることが可能なリング部材とからなり、前記リング部材は係止部を備えており、前記係止部が前記ハウジングの被係止部へ係止することにより、前記ロック部材に付勢力を蓄積した状態で前記ロック部材を解除位置に保持し、前記管状体が前記ハウジングに挿入されて前記係止部が係止解除され、前記ロック部材に蓄積された付勢力が解放されることにより、前記ロック部材が前記リング部材と共にロック位置に移動し前記管状体をロックし、ロック後に前記リング部材を前記管状体の軸線方向にスライドさせると、前記リング部材に設けられた嵌合部が前記ハウジングに設けられた被嵌合部に嵌合し、前記リング部材の回動を防止するので、ワンタッチでロックできると共に、ロック状態を確実に維持でき且つ、目視で確認できる。
【実施例１】
【００１０】
以下、一実施の形態を示す図面に基づいて本発明を詳細に説明する。図１は本発明の一実施形態を示す管状体のロック機構を示す分解斜視図、図２は、本発明のロック機構と管状体とを示す斜視図である。ここで管状体のロック機構１０は、係合部１１を備えた管状体１２が少なくとも一端に装着されるハウジング１３と、ハウジング１３と管状体１２とをロックおよび解除可能なロック部材１４と、ハウジング１３の外周に回動可能に取付けられ、ロック部材１４をロック位置と解除位置に移動させることが可能なリング部材１５とからなり、前記リング部材１５は係止部１６を備えており、前記係止部１６が前記ハウジング１３の被係止部１７へ係止することにより、前記ロック部材１４に付勢力（弾性エネルギー）を蓄積した状態で前記ロック部材１４を解除位置に保持し、前記管状体１１が前記ハウジング１３に挿入されて前記係止部１６が係止解除され、前記ロック部材１４に蓄積された付勢力が解放されることにより、前記ロック部材１４が前記リング部材１５と共にロック位置に移動し前記管状体１２をロックし、ロック後に前記リング部材１５を前記管状体１２の軸線方向にスライドさせると、前記リング部材１５に設けられた嵌合部１８が前記ハウジングに設けられた被嵌合部１９に嵌合し、前記リング部材１５の回動を防止する。なお、係合部１１は、環状溝の場合について説明したが係合段部であってもよい。
【００１１】
管状体１２は、例えば合成樹脂等から構成され、筒状をしておりホースの接続される基端部１２ｂにフランジ２０を有するとともに、略中間部の外周に環状溝である係合部１１が形成されている。また、ハウジング１３に装着される先端部１２ａは、先細に形成されている。更に、管状体１２は先端部１２ａの外周から半径方向に突出し、軸線方向に延設された係止解除突部１２ｃを備えており、係止解除突部１２ｃが弾性片である係止部１６を孔部である被係止部１７から押し出すことで係止を解除することができる。尚、管状体１２は、閉止栓やプラグキャップ（めくら蓋）の様に流体を遮断する構造のものであってもよい。
また、管状体１２は金属製であっても良い。更に、管状体１２は、ホースを接続させるだけでなく、他の構造物と一体的に形成されていても良い。
【００１２】
ハウジング１３は、一端にホースが接続されるホース接続部１３ａと他端に管状体１２が装着される装着口１３ｂを有している。ハウジング１３は、例えば合成樹脂等から構成されている。また、ホース接続部１３ａの外周には、ホースの抜け止め用の複数の環状凹凸を有している。また、拡径した装着口１３ｂの外周頂部には、ロック部材１４の屈曲部２４の回動範囲を規制する隙間Ｈを有して案内壁２１が中央頂部から左右に形成されている。また、案内壁２１と対向してロック部材１４をハウジング１３の外周に沿って回動可能に保持するべく突起２２が配設されている。
また、ハウジング１３の外周には、突起２２と案内壁２５との間に保持されたロック部材１４の脚部１４ｂが通過可能なスリット２６が形成され、ハウジング１３に装着された管状体１２の外周に形成された係合部１１と係合する。更に、ハウジング１３の外周には、ロック部材１４の内向きに折曲された脚部１４ｂの先端部１４ａが摺動する摺動斜面２７を有しており、リング部材１５の回動操作によりロック部材１４の先端部である先端部１４ａが摺動斜面２７を摺動することで、ロック部材１４が拡開され、解除位置となる。なお、摺動斜面２７は、単一の曲率を有する曲線に限ること無く、複数の曲率を有する曲線の組み合わせや傾斜の異なる直線の組み合わせであってもよい。
【００１３】
また、ハウジング１３の外周下端で左右対称位置に第１の摺動面２７ａと第２の摺動面２７ｂが一対形成されている。第１の摺動面２７ａと第２の摺動面２７ｂは、対向配置されており、それぞれ異なる傾斜を有している。本実施の形態では、第１の摺動面２７ａが傾斜角度が大きく、第２の摺動面２７ｂが傾斜角度が小さく形成されている。つまり、第１の摺動面２７ａは急な傾斜であり、第２の摺動面２７ｂはなだらか傾斜である。そして、突起２２と案内壁２５の間に保持されたロック部材１４の先端部１４ａがその回動に伴い、第１の摺動面２７ａ或いは第２の摺動面２７ｂに当接するよう配設されている。第１の摺動面２７ａは、本実施の形態では、略垂直に近い傾斜を有しており、第２の摺動面２７ｂはなだらかな円弧状に傾斜して形成されている。
【００１４】
また、ハウジング１３は、図３、４に示すようにホース接続部１３ａと案内壁２１の間の外周に赤等の目立つ色彩の附された識別部２８が形成されており、リング部材１５をハウジング１３に対してスライド移動させた際に、現れて視認できるように構成されている。識別部２８は、色彩の他に文字等で表記しても良い。更に、ハウジング１３の装着口１３ｂの奥端には、図２、１１等に示すようにＯリング等のシール部材３２が配設されており、装着された管状体１２との水密性及び気密性を確保している。なお、シール部材は、Ｏリングに限ることなく、ＶリングやＸリング等の他のシール部材であってもよい。
また、ハウジング１３のホース接続部１３ａの開口を塞ぎ、閉止栓やプラグキャップ（めくら蓋）の様に流体を遮断する構造のものであってもよい。
【００１５】
ロック部材１４は、図８〜１０に示すように上に向かって凸状に湾曲した連結部２３と、この連結部２３の両側（幅方向両側）からそれぞれ、互いに略直線状に延設された脚部１４ｂと、内向きに折曲された脚部１４ｂの先端の折曲部１４ｃから、脚部１４ｂと直角方向に折曲形成された先端部１４ａとを具備するように屈曲形成された、例えば金属製の弾性線材で構成されている。また、連結部２３の頂部には、ハウジング１３の軸線方向に膨出するコ字状の屈曲部２４が形成されており、当該屈曲部２４に回転負荷を加え操作することができる。また、屈曲部２４は、ハウジング１３に形成された案内壁２１の隙間Ｈより小さい寸法となっており、ここに収納される。更に、脚部１４ｂの径は、スリット２６の幅より小さく、スリット２６を通過することができる。脚部１４ｂの長さ寸法は、スリット２６の長さ（高さ寸法）より長く形成されている。なお、ロック部材１４は、金属製、合成樹脂製の板材であってもよい。つまり、線材に限ることなく、細長い板材から構成しても同様の効果を得ることができる。
【００１６】
リング部材１５は、環状をしておりハウジング１３の外周に回動可能に取付けられ、ロック部材１４をロック位置と解除位置に移動させることが可能である。また、リング部材１５は、図５に示すように頂部内周のロック部材１４の屈曲部２４に対応する位置に所定の間隔を有した突部２９を有している。突部２９の間隔は、ちょうど屈曲部２４がその間に収容される大きさである。したがって、リング部材１５回動することにより、ロック部材１４を一体的に回動することができる。また、リング部材１５には、環状壁から弾性片として切り起こした係止部１６を備えており、係止部１６は内側に係合突起１６ａを有している。
【００１７】
また、リング部材１５は、ハウジング１３に嵌合した際にハウジング１３側に設けられた被嵌合部１９と嵌合する嵌合部１８が形成されている。本実施例では、嵌合部１８は、三角形状の切欠き１８ａと 角状の切欠き１８ｂとから構成されている。また、嵌合部１８は、三角形状に限らず、四角形状等でも良い。更に、リング部材１５は、図５、６に示すようにハウジング１３に対して回動させてスライド移動させた際に、ロック部材１４の自由端（先端部１４ａ）を覆うカバー部３０を備えている。
また、リング部材１５は、ハウジング１３に対して軸線方向にスライド移動させた際に、スライド状態を保持する係止突起１５ｂを有している。係止突起１５ｂは、係止部１５ｃを有しており、ハウジング１３側の突起３１と係止する。リング部材１５をハウジング１３に対して軸線方向にスライド移動させると、ハウジング側に備えられた識別部２８を目視することができる。更に、リング部材１５は、ロック部材１４の自由端（先端部１４ａ）を覆うカバー部３０を備えている。
【００１８】
以上のように構成された管状体のロック機構１０を組み立てる場合、先ず、ハウジング１３にロック部材１４を上方向から取り付ける。ロック部材１４の取り付け手順は、突起２２と案内壁２５の間に脚部１４ｂを左右に開くようにして差し込み解放すると、線材の弾性力により先端部１４ａが第１の摺動面２７ａと第２の摺動面２７ｂの間に位置する。また、本実施の形態では、ロック部材１４の屈曲部２４及び先端部１４ａをハウジング１３のホース接続部１３ａ方向に向けて取り付ける。取り付けた脚部１４ｂの一部は、ハウジング１３のスリット２６から装着口１３ｂ内へ突出する。更に、外周からリング部材１５をその突部２９がロック部材１４の屈曲部２４と一致するようにして取付け、ハウジング１３の外周に沿って回動させ、係止部１６の係合突起１６ａをハウジング１３の被係止部１７に係止させる。この作業中は、リング部材１５の係止突起１５ｂが案内壁２１に当たることで、リング部材１５が後方に抜けてしまうことがない。
【００１９】
次に、管状体１２とハウジング１３を接続する場合には、図２に示すように管状体１２の係止解除突部１２ｃがハウジング１３の被係止部１７と一致するようにして装着口１３ｂから装着する。管状体１２を奥まで挿入すると、リング部材１５の係合突起１６ａが被係止部１７から押し出される。すると、ロック部材１４に蓄積された付勢力が解放され、ロック部材１４がリング部材１５と共にロック位置に回転移動し、脚部１４ｂがスリット１６から突出して係合部１１と係合することにより管状体１２をロックする（図１３〜１６参照）。
この様に、管状体１２を挿入するだけで付勢力が解放され自動的にロックされるので、ロック作業が極めて容易である。また、管状体１２を奥まで挿入しないとロック部材１４が解放されず、半嵌合状態を防止できる。また、管状体１２を奥まで挿入された状態では、シール部材３２が管状体１２の先端部１２ａ外周とハウジング１３の装着口１３ｂの内周の間に位置すると共に押圧されて、水密性や気密性を保持することができる。
【００２０】
次に、締結状態を確認するべく、図１７、１８に示すようにリング部材１５を軸線方向にスライドさせて嵌合部１８と被嵌合部１９を嵌合させる。嵌合部１８と被嵌合部１９を嵌合させることにより、リング部材１５は回動不可能となると共に、ハウジング１３側に形成した識別部２８が現れて目視で締結状態を確認できる。この時、リング部材１５の係止突起１５ｂがハウジング１３の突起３１と係止して、この状態を保持する。したがって、二重ロック状態となり、確実なロック状態を維持できる。また、二重ロック状態を視認することができる。
また、リング部材１５を軸線方向にスライドすることによりロック部材１４の先端部１４ａの外周がカバー部３０によって覆われるので、外部から不用意な力が作用するのを防止できる。
【００２１】
また、管状体１２とハウジング１３の係合を解除する場合は、先ず、図１３等に示すようにリング部材１５を軸線方向にスライドさせて嵌合部１８と被嵌合部１９を離間させる。次に、リング部材１５を解除方向に回動する。すると、ロック部材１４の一方の先端部１４ａは、押されて第１の摺動面２７ａに乗り上げて外周方向に拡開する。更に、第１の摺動面２７ａは、略垂直に近い傾斜を有するので、短い旋回ストロークでもロック部材１４の脚部１４ｂを大きく拡開させることができ、ロック部材１４及びリング部材１５の旋回ストロークを短くすることができる。
また、ロック部材１４の脚部１４ｂの先端が内向きに折曲された折曲部１４ｃとして構成されているので、脚部１４ｂが開いてもハウジング１３の外周から殆ど突出しない。更に、屈曲部２４及びリング部材１５の回動範囲は、案内壁２１に形成された隙間Ｈにより制限されるので、廻し過ぎる虞もない。
【００２２】
ロック部材１４の他方の先端部１４ａは、引かれて第２の摺動面２７ｂに乗り上げると共に、スリット２６の端縁が支点となって外周方向に拡開する。つまり、解除操作の始めは先端部１４ａのみが第２の摺動面２７ｂに乗り上げるために動き出しが軽い。更に回動すると端縁を支点とし、ロック部材１４の先端部１４ａを作用点として開くので、短い旋回ストロークで先端部１４ａがより大きく拡開し、係合部１１からの解除を可能とできる。この様に、それぞれの先端部１４ａが開くことにより、脚部１４ｂが左右に拡開して、管状体１２の係合部１１から外れ、係合が解除されて管状体１２を引き抜くことができる（図２参照）。
本発明では、リング部材１５を単に横（ハウジングの円周）方向に廻す操作のみで解除操作ができるので、突出する部位がなく、狭い場所であっても解除することができる。また、ロック部材１４が異なる傾斜の第１の摺動面２７ａと第２の摺動面２７ｂの摺動面により広げられるので、小さな力で解除操作を行うことができる。つまり、ロック状態でも解除状態でも屈曲部２４が突出することがないので、狭小なスペースでの操作が可能である。
【００２３】
更に、リング部材１５を解除方向に回動し、解除後にリング部材１５から指を離すと、リング部材１５の係合突起１６ａがハウジング１３の被係止部１７に落ち込んでおり、解除状態が維持される（待機状態）。つまり、リング部材１５は、廻すことができない。このため、誤作動のおそれが少ない。
また、この状態でロック部材１４は、図１２に示すように先端部１４ａがそれぞれ第１の摺動面２７ａ、第２の摺動面２７ｂに乗り上げた位置にあり、弾性変形している。つまり、ロック部材１４は弾性エネルギーを蓄積した状態に維持される。更に、待機状態では、図２等に示すように嵌合部１８と被嵌合部１９の位置がずれて当接しているので、リング部材１５を軸線方向にスライドすることもできない。
【００２４】
この様に本発明では、ロック部材１４の解除状態を維持できるので片手でリング部材１５を廻しながら重いホースを挿入する必要がなく、両手でホースを持って挿着することができる。したがって、管状体のロック作業を容易に行うことができる。また突出する部分がないので取り外す場合に他の部品を傷付ける虞もない。
【００２５】
尚、以上の実施例では、管状体１２側に係止解除突部１２ｃを設ける場合について説明したが、係合突起１６ａのハウジングの挿着口１３ｂ内周への突出量を大きくすることにより、係止解除突部１２ｃを省くことができる。
この様に構成した場合、管状体１２を挿着する際に被係止部１７と係止解除突部１２ｃとの位置合わせが不用となる。
【００２６】
本発明の管状体のロック機構は、配管用の管状体のロック機構として、建設機械のラジエータやインテークパイプ（スロットルバルブ周辺）やインタークーラーやバッテリーパック等の配管に使用することができる。また、住宅設備や農業用水用の配管に使用可能である。更に、管状体のロック機構体は、閉止栓やプラグキャップ（めくら蓋）の様に流体を遮断する構造のものであってもよい。
【符号の説明】
【００２７】
１０    管状体のロック機構
１１    係合部
１２    管状体
１２ａ  先端部
１２ｂ  基端部
１２ｃ  係止解除突部
１３    ハウジング
１３ａ  ホース接続部
１３ｂ  装着口
１３ｃ  浅溝部
１４    ロック部材
１４ａ  先端部
１４ｂ  脚部
１４ｃ  折曲部
１５    リング部材
１５ｂ  係止突起
１６    係止部
１６ａ  係合突起
１７    被係止部
１８    嵌合部  
１８ａ  切欠き
１８ｂ  切欠き
１９    被嵌合部
２０    フランジ
２１    案内壁
２２    突起
２３    連結部
２４    屈曲部
２５    案内壁
２６    スリット
２７    摺動斜面
２７ａ  第１の摺動面
２７ｂ  第２の摺動面
２８    識別部
２９    突部
３０    カバー部
３１    突起
３２    シール部材
【図１】
2016038019.tif 000003
【図２】
2016038019.tif 000004
【図３】
2016038019.tif 000005
【図４】
2016038019.tif 000006
【図５】
2016038019.tif 000007
【図６】
2016038019.tif 000008
【図７】
2016038019.tif 000009
【図８】
2016038019.tif 000010
【図９】
2016038019.tif 000011
【図１０】
2016038019.tif 000012
【図１１】
2016038019.tif 000013
【図１２】
2016038019.tif 000014
【図１３】
2016038019.tif 000015
【図１４】
2016038019.tif 000016
【図１５】
2016038019.tif 000017
【図１６】
2016038019.tif 000018
【図１７】
2016038019.tif 000019
【図１８】
2016038019.tif 000020